(57)【特許請求の範囲】
【請求項１】
皮膚施術機器とのデータ送受信が可能な皮膚測定機器であって、
皮膚に関する情報を検知するように形成される検知部と、
前記皮膚測定機器が任意の皮膚に接触することに基づいて、前記任意の皮膚に関する情報を検知するように前記検知部を制御する制御部とを含み、
前記検知部は、光を前記任意の皮膚に放出し、前記任意の皮膚で反射する光に基づいて前記任意の皮膚に関する情報を検知するように形成され、
前記制御部は、
複数の検知を行い、前記複数の検知の結果のそれぞれに含まれる最大の光の強度を有する地点が一致するように前記複数の検知の結果を組み合わせ、前記組み合せられた複数の検知の結果を用いて前記任意の皮膚に関する情報を抽出することを特徴とする皮膚測定機器。
【請求項２】
前記検知部で検知された前記任意の皮膚に関する情報には、
前記任意の皮膚の表面での光反射率、前記任意の皮膚の表皮での光減衰率、前記任意の皮膚の真皮での光減衰率、及び表皮の厚さの少なくとも１つが含まれることを特徴とする請求項１に記載の皮膚測定機器。
【請求項３】
前記検知部は、光源を含み、
前記光源から放出された光の少なくとも一部の光を前記任意の皮膚に放出し、前記少なくとも一部の光以外の光を前記検知部に備えられたミラーに放出し、
前記任意の皮膚で反射した光と前記ミラーで反射した光の干渉を利用して前記任意の皮膚に関する情報を検知することを特徴とする請求項２に記載の皮膚測定機器。
【請求項４】
前記複数の検知は、前記皮膚測定機器が前記任意の皮膚に接触した状態で外力により移動することに基づいて行われることを特徴とする請求項１に記載の皮膚測定機器。
【請求項５】
前記制御部は、前記移動により前記任意の皮膚上の複数の地点でそれぞれ検知された前記複数の検知の結果を組み合わせ、前記組み合わせた複数の検知の結果を用いて前記任意の皮膚に関する情報を抽出し、
前記複数の検知の結果のそれぞれには、前記任意の皮膚の各地点の皮膚の深さに応じた光反射強度情報が含まれることを特徴とする請求項４に記載の皮膚測定機器。
【請求項６】
前記制御部は、
予め設定された条件に該当することに基づいて、前記検知された任意の皮膚に関する情報を前記皮膚施術機器に送信し、
前記予め設定された条件は、
前記皮膚測定機器が前記任意の皮膚に接触してから経過した時間が予め設定された時間に達した場合、前記皮膚測定機器が前記任意の皮膚に接触した状態で予め設定された移動距離だけ移動した場合、及び前記皮膚測定機器が前記任意の皮膚に接触した状態から分離した場合の少なくとも１つであることを特徴とする請求項１に記載の皮膚測定機器。
【請求項７】
身体部位の一部を選択するようにガイドする画像を出力するディスプレイ部をさらに含み、
前記制御部は、
前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することを特徴とする請求項１に記載の皮膚測定機器。
【請求項８】
皮膚施術機器とのデータ送受信が可能な皮膚測定機器の制御方法であって、
前記皮膚測定機器が任意の皮膚に接触することに基づいて、前記任意の皮膚に関する情報を検知する段階と、
予め設定された条件に該当することに基づいて、前記検知された任意の皮膚に関する情報を前記皮膚施術機器に送信する段階とを含み、
前記検知する段階は、
光を前記任意の皮膚に放出し、前記任意の皮膚で反射する光に基づいて前記任意の皮膚に関する情報を検知し、
前記検知された任意の皮膚に関する情報には、
前記任意の皮膚の表面での光反射率、前記任意の皮膚の表皮での光減衰率、前記任意の皮膚の真皮での光減衰率、及び表皮の厚さの少なくとも１つが含まれ、
前記検知する段階は、
複数の検知を行う段階と、
前記複数の検知の結果のそれぞれに含まれる最大の光の強度を有する地点が一致するように前記複数の検知の結果を組み合わせる段階と、
前記組み合わせた複数の検知の結果を用いて前記任意の皮膚に関する情報を抽出する段階とを含むことを特徴とする皮膚測定機器の制御方法。
【請求項９】
前記複数の検知を行う段階は、
前記皮膚測定機器が前記任意の皮膚に接触した状態で外力により移動することに基づいて、前記任意の皮膚上の複数の地点でそれぞれ検知を行う段階を含むことを特徴とする請求項８に記載の皮膚測定機器の制御方法。
【請求項１０】
前記送信する段階は、
予め設定された条件に該当することに基づいて、前記検知された任意の皮膚に関する情報を前記皮膚施術機器に送信し、
前記予め設定された条件は、
前記皮膚測定機器が前記任意の皮膚に接触してから経過した時間が予め設定された時間に達した場合、前記皮膚測定機器が前記任意の皮膚に接触した状態で予め設定された移動距離だけ移動した場合、及び前記皮膚測定機器が前記任意の皮膚に接触した状態から分離した場合の少なくとも１つであることを特徴とする請求項８に記載の皮膚測定機器の制御方法。
【請求項１１】
前記検知する段階の前に、
身体部位の一部を選択するようにガイドする画像をディスプレイ部から出力する段階をさらに含み、
前記送信する段階は、
前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することを特徴とする請求項８に記載の皮膚測定機器の制御方法。
【発明の詳細な説明】
【技術分野】
【０００１】
本発明は、皮膚に関する情報を測定できる皮膚測定機器に関し、より具体的には光の干渉現象を利用して皮膚に関する情報を測定することのできる皮膚測定機器及びその制御方法に関する。
【背景技術】
【０００２】
美容に対する関心が次第に高まるにつれて、皮膚施術、例えば皮膚の治療、ケア又は管理を受けようとする需要者が増加しており、よって、皮膚の治療、ケア又は管理を行う皮膚施術機器の開発が活発に行われている。
【０００３】
従来の皮膚施術機器は、レーザ、高周波、超音波などをベースとする。また、従来の皮膚施術機器は、開発段階での臨床試験により皮膚特性をいくつかに分類し、各特性に応じて皮膚施術機器の設定値が異なるいくつかのモードを含む。
【０００４】
このような設定値には、レーザ、高周波又は超音波の出力レベル、波長、周波数、焦点の深さなどがある。
【０００５】
しかし、皮膚施術を受けるユーザは個人によって皮膚特性が異なる。よって、従来の皮膚施術機器により前記いくつかのモードでのみ皮膚施術を行った場合、ユーザ毎に施術効果が異ならざるを得ない。また、従来の皮膚施術機器に予め保存されたいくつかのモードでのみ皮膚施術を行うので、一部のユーザには過度な施術により副作用が生じるという問題があった。さらに、従来の皮膚施術機器に含まれるモードの選択が医者の主観的な判断によって決定されるので、皮膚施術の正確度が劣るという問題もあった。
【０００６】
よって、近年、ユーザ毎に最適化された皮膚施術を行うための方法と、皮膚施術機器の最適化された皮膚施術をガイドするように皮膚に関する情報を測定できる機器（皮膚測定機器）の開発が活発に行われている。
【発明の概要】
【発明が解決しようとする課題】
【０００７】
本発明の目的は、ユーザ毎に最適化された皮膚施術を受けることができるように、皮膚に関する情報を測定できる皮膚測定機器及びその制御方法を提供することにある。
【０００８】
本発明の他の目的は、皮膚に関する様々な情報を最適化された方法で測定できる皮膚測定機器及びその制御方法を提供することにある。
【課題を解決するための手段】
【０００９】
本発明の一実施形態による皮膚施術機器とのデータ送受信が可能な皮膚測定機器は、皮膚に関する情報を検知するように形成される検知部と、前記皮膚測定機器が任意の皮膚に接触することに基づいて、前記任意の皮膚に関する情報を検知するように前記検知部を制御する制御部とを含み、前記検知部は、光を前記任意の皮膚に放出し、前記任意の皮膚で反射する光に基づいて前記任意の皮膚に関する情報を検知するように形成されることを特徴とする。
【００１０】
一実施形態において、前記検知部で検知された前記任意の皮膚に関する情報には、前記任意の皮膚の表面での光反射率、前記任意の皮膚の表皮での光減衰率、前記任意の皮膚の真皮での光減衰率、及び表皮の厚さの少なくとも１つが含まれることを特徴とする。
【００１１】
一実施形態において、前記検知部は、光源を含み、前記光源から放出された光の少なくとも一部の光を前記任意の皮膚に放出し、前記少なくとも一部の光以外の光を前記検知部に備えられたミラーに放出し、前記任意の皮膚で反射した光と前記ミラーで反射した光の干渉を利用して前記任意の皮膚に関する情報を検知することを特徴とする。
【００１２】
一実施形態において、前記制御部は、複数の検知を行い、前記複数の検知の結果に基づいて前記任意の皮膚に関する情報を抽出することを特徴とする。
【００１３】
一実施形態において、前記複数の検知は、前記皮膚測定機器が前記任意の皮膚に接触した状態で外力により移動することに基づいて行われることを特徴とする。
【００１４】
一実施形態において、前記制御部は、前記移動により前記任意の皮膚上の複数の地点でそれぞれ検知された前記複数の検知の結果を予め設定された方式で組み合わせ、前記組み合わせた複数の検知の結果を用いて前記任意の皮膚に関する情報を抽出し、前記複数の検知の結果のそれぞれには、前記任意の皮膚の各地点の皮膚の深さに応じた光反射強度情報が含まれ、前記予め設定された方式は、前記光反射強度情報のうち皮膚の表面での光反射強度情報が一致するように前記複数の検知の結果を組み合わせることを特徴とする。
【００１５】
一実施形態において、前記制御部は、予め設定された条件に該当することに基づいて、前記検知された任意の皮膚に関する情報を前記皮膚施術機器に送信し、前記予め設定された条件は、前記皮膚測定機器が前記任意の皮膚に接触してから経過した時間が予め設定された時間に達した場合、前記皮膚測定機器が前記任意の皮膚に接触した状態で予め設定された移動距離だけ移動した場合、及び前記皮膚測定機器が前記任意の皮膚に接触した状態から分離した場合の少なくとも１つであることを特徴とする。
【００１６】
一実施形態において、前記皮膚測定機器は、身体部位の一部を選択するようにガイドする画像を出力するディスプレイ部をさらに含み、前記制御部は、前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することを特徴とする。
【００１７】
本発明の一実施形態による皮膚施術機器とのデータ送受信が可能な皮膚測定機器の制御方法は、前記皮膚測定機器が任意の皮膚に接触することに基づいて、前記任意の皮膚に関する情報を検知する段階と、予め設定された条件に該当することに基づいて、前記検知された任意の皮膚に関する情報を前記皮膚施術機器に送信する段階とを含み、前記検知する段階は、光を前記任意の皮膚に放出し、前記任意の皮膚で反射する光に基づいて前記任意の皮膚に関する情報を検知することを特徴とし、前記検知された任意の皮膚に関する情報には、前記任意の皮膚の表面での光反射率、前記任意の皮膚の表皮での光減衰率、前記任意の皮膚の真皮での光減衰率、及び表皮の厚さの少なくとも１つが含まれることを特徴とする。
【００１８】
一実施形態において、前記検知する段階は、前記皮膚測定機器が前記任意の皮膚に接触した状態で外力により移動することに基づいて、前記任意の皮膚上の複数の地点でそれぞれ検知を行う段階と、前記複数の地点で検知された複数の検知の結果を、前記複数の検知の結果に含まれる光反射強度情報のうち皮膚の表面での光反射強度情報が一致するように組み合わせる段階と、前記組み合わせた複数の検知の結果を用いて前記任意の皮膚に関する情報を抽出する段階とを含むことを特徴とする。
【００１９】
一実施形態において、前記送信する段階は、予め設定された条件に該当することに基づいて、前記検知された任意の皮膚に関する情報を前記皮膚施術機器に送信し、前記予め設定された条件は、前記皮膚測定機器が前記任意の皮膚に接触してから経過した時間が予め設定された時間に達した場合、前記皮膚測定機器が前記任意の皮膚に接触した状態で予め設定された移動距離だけ移動した場合、及び前記皮膚測定機器が前記任意の皮膚に接触した状態から分離した場合の少なくとも１つであることを特徴とする。
【００２０】
一実施形態において、前記皮膚測定機器の制御方法は、前記検知する段階の前に、身体部位の一部を選択するようにガイドする画像をディスプレイ部から出力する段階をさらに含み、前記送信する段階は、前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することを特徴とする。
【発明の効果】
【００２１】
本発明によれば、本発明の皮膚測定機器は、皮膚施術機器で最適化された皮膚施術を行えるように、皮膚施術を行う皮膚に関する情報、すなわち表面での光反射率、前記任意の皮膚の表皮での光減衰率、前記任意の皮膚の真皮での光減衰率、表皮の厚さなどを測定して皮膚施術機器に送信することができる。よって、本発明は、ユーザ毎に皮膚特性を把握して最適化された皮膚施術を行うことができるという効果がある。
【００２２】
また、本発明の皮膚測定機器は、皮膚の複数の地点で検知された検知結果に基づいて前記皮膚に関する情報を抽出するので、より正確な皮膚状態、すなわち皮膚に関する情報を抽出することができる。
【００２３】
さらに、本発明の皮膚測定機器は、予め設定された条件に該当することに基づいて皮膚に関する情報を皮膚施術機器に送信することができる。よって、本発明によれば、皮膚施術を行うユーザの利便性が向上するという効果がある。
【００２４】
さらに、本発明の皮膚測定機器は、身体部位の一部を選択するようにガイドする画像を出力することができ、前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することができる。よって、本発明は、皮膚測定機器を用いて皮膚に関する情報が測定された身体部位を皮膚施術機器に出力したり保存することのできる新しいユーザインタフェースを提供することができる。
【図面の簡単な説明】
【００２５】
【図１】本発明の一実施形態による皮膚測定機器及び皮膚施術機器を示す概念図である。
【図２ａ】本発明の一実施形態による皮膚測定機器を説明するための概念図である。
【図２ｂ】本発明の一実施形態による皮膚測定機器に備えられた検知部を説明するための概念図である。
【図３】本発明の皮膚測定機器の制御方法を代表的に示すフローチャートである。
【図４】図３に示す皮膚に関する情報を検知する方法を具体的に説明するためのフローチャートである。
【図５ａ】図４に示す制御方法を説明するための概念図である。
【図５ｂ】図４に示す制御方法を説明するための概念図である。
【図６】図４に示す複数の検知の結果を用いて皮膚に関する情報を抽出する方法を説明するためのフローチャートである。
【図７】本発明の一実施形態による皮膚測定機器が皮膚に関する情報を身体部位の一部に対応する情報と連携して皮膚施術機器に送信する方法を説明するための概念図である。
【発明を実施するための形態】
【００２６】
以下、添付図面を参照して本明細書に開示された実施形態を詳細に説明するが、図面の番号に関係なく同一又は類似の構成要素には同一の符号を付して重複する説明は省略する。以下の説明で用いられる構成要素の接尾辞である「モジュール」及び「部」は、明細書の作成を容易にするために付与又は混用されるものであり、それ自体が有意性や有用性を有するものではない。また、本明細書に開示された実施形態を説明するにあたって、関連する公知技術についての具体的な説明が本明細書に開示された実施形態の要旨を不明にすると判断される場合は、その詳細な説明を省略する。なお、添付図面は本明細書に開示された実施形態を容易に理解できるようにするためのものにすぎず、添付図面により本明細書に開示された技術的思想が制限されるものではなく、本発明の思想及び技術範囲に含まれる全ての変更、均等物乃至代替物を含むものと理解されるべきである。
【００２７】
第１、第２などのように序数を含む用語は様々な構成要素を説明するために使用されるが、上記構成要素は上記用語により限定されるものではない。上記用語は１つの構成要素を他の構成要素と区別する目的でのみ使用される。
【００２８】
ある構成要素が他の構成要素に「連結」又は「接続」されていると言及された場合は、前記他の構成要素に直接的に連結又は接続されていることもあり、中間にさらに他の構成要素が存在することもあると理解すべきである。それに対して、ある構成要素が他の構成要素に「直接連結」又は「直接接続」されていると言及された場合は、中間にさらに他の構成要素が存在しないと理解すべきである。
【００２９】
単数の表現は、文脈上明らかに他の意味を表すものでない限り、複数の表現を含む。
【００３０】
本出願において、「含む」や「有する」などの用語は、明細書に記載された特徴、数字、段階、動作、構成要素、部品、又はこれらの組み合わせが存在することを指定しようとするもので、１つ又はそれ以上の他の特徴、数字、段階、動作、構成要素、部品、又はこれらの組み合わせの存在や付加可能性を予め排除するものではないと理解すべきである。
【００３１】
以下、添付図面を参照して説明する際に、１つの図面（図Ｎ）に少なくとも２つの画像が２ ｂｙ ２の形態で示されている場合、左上欄に示された画像を「第１図」、右上欄に示された画像を「第２図」、右下欄に示された画像を「第３図」、左下欄に示された画像を「第４図」という。
【００３２】
また、１つの図面（図Ｎ）に少なくとも２つの画像が上から下の方向に一列に示されている場合、最も上にある画像から順次「第１図、第２図、…」という。
【００３３】
さらに、１つの図面（図Ｎ）に少なくとも２つの画像が左から右の方向に一列に示されている場合、最も左にある画像から順次「第１図、第２図、…」という。
【００３４】
本明細書で説明される皮膚測定機器は、対象体（例えば、ヒトなど）の皮膚に関する情報を検知（抽出、検出、測定など）するように形成されてもよい。このような皮膚測定機器は、プローブ（probe）の形態であってもよい。
【００３５】
プローブとは、対象体（又は、対象体に関する情報、対象体の状態）の計測、探査、探知、検知、抽出、検出、測定の目的で用いられる道具又は装置を意味する。また、前記プローブは、測定対象（対象体）の状態をできるだけ変化させることなく測定（検知、抽出、検出など）するための検出器であるといえる。
【００３６】
プローブの形態であり得る本発明の皮膚測定機器は、皮膚施術機器の１つの構成として含まれるようにしてもよく、別途の構成として存在するようにしてもよい。
【００３７】
本明細書に記載された実施形態による構成は、皮膚測定機器にのみ適用できる場合を除き、様々な対象体（例えば、事物、動物、植物など）に関する情報（又は状態）を測定できるあらゆる装置に適用できることを、本発明の属する技術の分野における通常の知識を有する者であれば容易に理解できるであろう（以下、説明の便宜上、対象体がヒトである場合を例に説明する）。
【００３８】
図１を参照すると、図１は本発明の一実施形態による皮膚測定機器及び皮膚施術機器を示す概念図である。
【００３９】
本発明の一実施形態による皮膚施術システムは、皮膚測定機器１００や皮膚施術機器２００などを含んでもよい。皮膚施術機器２００は、レーザ、高周波又は超音波などを用いて皮膚に対する施術（治療、ケア又は管理）を直接行う装置であってもよい。
【００４０】
皮膚測定機器１００は、皮膚施術機器２００を用いて皮膚施術を行う際に、皮膚施術機器２００が皮膚施術を受ける皮膚に最適化されたレーザ、高周波、超音波の波長、強度、焦点位置などの要素を設定できるようにガイドする役割を果たす。
【００４１】
皮膚測定機器１００及び皮膚施術機器２００は、データを送受信するように形成されてもよい。このために、皮膚測定機器１００及び皮膚施術機器２００には、有無線通信を行う通信部が備えられてもよい。
【００４２】
図１の第１図に示すように、皮膚測定機器１００は、皮膚に関する情報（又は皮膚状態）を測定（検知）することができる。ここで、皮膚測定機器１００は、光を用いて、前記皮膚に関する情報を検知することができる。具体的には、本発明の皮膚測定機器１００は、ＯＣＴ（Ｏｐｔｉｃａｌ Ｃｏｈｅｒｅｎｃｅ Ｔｏｍｏｇｒａｐｈｙ：光干渉断層撮影）技術を用いて、前記皮膚に関する情報を検知することができる（ＯＣＴについては図２ｂを参照してより具体的に後述する）。
【００４３】
前記皮膚に関する情報には、皮膚の表面反射率、皮膚の表皮の厚さ、表皮での光減衰率、真皮での光減衰率、表皮と真皮での平均光減衰率などが含まれるようにしてもよい。また、前記皮膚に関する情報には、皮膚のメラニン量がさらに含まれるようにしてもよい。
【００４４】
図１の第２図に示すように、皮膚測定機器１００は、前記検知された皮膚に関する情報を皮膚施術機器２００に送信することができる。ここで、皮膚測定機器１００は、予め設定された条件に該当することに基づいて、前記測定された皮膚に関する情報を送信することができる。
【００４５】
前記予め設定された条件は、皮膚測定機器１００が任意の皮膚に接触してから経過した時間が予め設定された時間に達した場合、皮膚測定機器１００が任意の皮膚に接触した状態で予め設定された移動距離だけ移動した場合、皮膚測定機器１００が任意の皮膚に接触した状態から分離した場合、及びユーザの要求があった場合の１つ以上であってもよい。また、皮膚測定機器１００は、皮膚施術機器２００から皮膚送信要求を受信することに基づいて、前記検知された皮膚に関する情報を皮膚施術機器２００に送信することができる。
【００４６】
皮膚測定機器１００は、皮膚施術機器２００から分離して独立した形態であってもよく、皮膚施術機器２００に接続された形態であってもよい。皮膚測定機器１００が皮膚施術機器２００から分離して独立した形態の場合、皮膚測定機器１００は、無線通信を用いて皮膚に関する情報を皮膚施術機器２００に送信することができる。
【００４７】
皮膚測定機器１００が皮膚施術機器２００に有線で接続された場合、皮膚測定機器１００は、前記有線で皮膚に関する情報を皮膚施術機器２００に送信することができる。
【００４８】
図１の第３図に示すように、皮膚施術機器２００は、皮膚に対する施術を行うことができる。皮膚施術機器２００は、レーザ、高周波及び超音波の少なくとも１つを放出する施術プローブ２１０、レーザ（又は高周波、超音波）の出力情報（例えば、波長、強度（強さ）、焦点位置など）及び皮膚施術機器（又は皮膚施術）に関する様々な画面情報の少なくとも１つを出力できるディスプレイ部２５１、皮膚に関する情報と前記レーザの出力情報を連携させたテーブルが保存されるメモリ、通信部、電源供給部、並びにこれらを制御する制御部などを含んでもよい。
【００４９】
ここで、皮膚施術機器２００は、皮膚測定機器１００から受信した皮膚に関する情報に基づいて、前記レーザの出力情報（出力値、設定値）を設定（決定）することができる。前述したように、皮膚測定機器１００から受信する皮膚に関する情報には、皮膚の表面反射率、皮膚の表皮の厚さ、表皮での光減衰率、真皮での光減衰率、表皮と真皮での平均光減衰率などが含まれるようにしてもよい。
【００５０】
皮膚施術機器２００のメモリには、前記皮膚に関する情報の数値毎に最適化されたレーザの出力情報が連携して保存されるようにしてもよい。前記皮膚に関する情報毎に連携したレーザの出力情報は「テーブル」ともいう。このようなテーブルは、外部機器（例えば、サーバ又は端末機）から受信されるようにしてもよく、皮膚施術機器２００の出庫時から皮膚施術機器２００に存在するようにしてもよい。
【００５１】
皮膚施術機器２００の制御部は、皮膚測定機器１００から受信した皮膚に関する情報が受信されると、前記メモリに保存されたテーブルに基づいて、前記レーザの出力情報を設定（決定）することができる。
【００５２】
また、皮膚施術機器２００の制御部は、皮膚測定機器１００から身体部位の一部に対応する情報（身体部位の一部に関する情報）と検知された皮膚に関する情報が共に送信されると、前記送信された情報をユーザ別、時期別に区分して前記メモリに保存することができる。すなわち、本発明の皮膚施術機器２００は、ユーザ別、皮膚部位別、時期別に区分して保存することにより、ユーザ個人別に皮膚施術の経過に関するデータベースを構築することができ、皮膚に対する施術の効果をより効果的に把握することができる。
【００５３】
一方、皮膚測定機器１００は、検知された皮膚に関する情報を皮膚施術機器２００に送信するだけでなく、皮膚施術機器２００のようにレーザの出力情報を皮膚施術機器２００に送信するように実現することができる。このために、皮膚測定機器１００のメモリには、前記皮膚に関する情報毎に連携したレーザの出力情報、すなわちテーブルが保存されるようにしてもよい。同様に、テーブルは、外部機器（例えば、サーバ又は端末機）から受信されるようにしてもよく、皮膚測定機器１００の出庫時から皮膚測定機器１００に存在するようにしてもよい。
【００５４】
皮膚測定機器１００の制御部は、前記テーブルを用いて前記レーザの出力情報を抽出し、ユーザの要求に応じて又は制御部の制御により前記皮膚に関する情報及び前記レーザの出力情報の少なくとも１つを皮膚施術機器２００に送信することができる。
【００５５】
また、皮膚測定機器１００は、身体部位の一部に対応する情報と検知された皮膚に関する情報を共に皮膚施術機器２００に送信することができる（これについては図７を参照してより具体的に後述する）。
【００５６】
このような構成により、本発明は、皮膚測定機器を用いて検知した皮膚に関する情報に基づいて、皮膚施術機器において皮膚施術に用いられるレーザの出力情報を決定することができる。よって、本発明は、ユーザ毎に、皮膚部位毎に皮膚の特性（状態）が異なっても、各皮膚毎に最適化された皮膚施術を行うことができる。
【００５７】
以下、図２ａ及び図２ｂを参照して、本発明の皮膚測定機器及び皮膚測定機器が皮膚に関する情報を検知する方法についてより具体的に説明する。
【００５８】
図２ａは本発明の一実施形態による皮膚測定機器を説明するための概念図であり、図２ｂは本発明の一実施形態による皮膚測定機器に備えられた検知部を説明するための概念図である。
【００５９】
図２ａを参照すると、本発明の皮膚測定機器１００は、通信部、入力部、検知部１４０、出力部、インタフェース部、メモリ、制御部１８０、電源供給部などを含んでもよい。皮膚測定機器１００を実現する上で、上記構成要素にさらなる構成要素が付加されるようにしてもよく、少ない構成要素からなるようにしてもよい。
【００６０】
より具体的には、上記構成要素のうち、通信部は、皮膚測定機器１００と皮膚施術機器２００間、皮膚測定機器１００と無線通信システム間、皮膚測定機器１００と他の端末機間、又は皮膚測定機器１００と外部サーバ間の有無線通信を可能にする１つ以上のモジュールを含んでもよい。また、通信部は、皮膚測定機器１００を１つ以上のネットワークに接続する１つ以上のモジュールを含んでもよい。
【００６１】
このような通信部は、無線インターネットモジュール、近距離通信モジュール、有線通信モジュールの１つ以上を含んでもよい。
【００６２】
入力部は、画像信号の入力のためのカメラ又は画像入力部、オーディオ信号の入力のためのマイク（microphone）又はオーディオ入力部、ユーザからの情報の入力のためのユーザ入力部１９０ａ、１９０ｂ（例えば、タッチキー（touch key）、プッシュキー（mechanical key）など）を含んでもよい。入力部により収集されたオーディオデータや画像データは、分析されてユーザの制御命令として処理される。
【００６３】
ユーザ入力部１９０ａ、１９０ｂは、ユーザからの制御命令の入力のためのものであり、ユーザ入力部１９０ａ、１９０ｂにより入力された情報に対応して皮膚測定装置１００を制御することができる。このようなユーザ入力部１９０ａ、１９０ｂは、機械式（mechanical）入力手段（又はメカニカルキー、例えばデジタルサイネージ１００の前面、背面又は側面に位置するボタン、ドームスイッチ（dome switch）、ジョグホイール、ジョグスイッチなど）及びタッチ式入力手段を含んでもよい。
【００６４】
例えば、いずれか一方のユーザ入力部１９０ａは、皮膚測定機器１００をオン（ＯＮ）又はオフ（ＯＦＦ）にする電源ボタンであってもよい。また、いずれか一方のユーザ入力部１９０ａとは異なる他方のユーザ入力部１９０ｂは、皮膚に関する情報の検知を開始する機能、皮膚に関する情報の検知を中断する機能、検知された皮膚に関する情報を皮膚施術機器２００に送信する機能の少なくとも１つが連携したボタンであってもよい。
【００６５】
検知部１４０は、ＯＣＴ（Ｏｐｔｉｃａｌ Ｃｏｈｅｒｅｎｃｅ Ｔｏｍｏｇｒａｐｈｙ：光干渉断層撮影）技術を用いて、皮膚に関する情報を検知することができる。このような検知部１４０は、制御部１８０の制御下で駆動することができる（検知部１４０については図２ｂを参照してより具体的に後述する）。
【００６６】
出力部は、視覚、聴覚又は触覚などに関連する出力を発生するためのものであり、ディスプレイ部１５１、音響出力部、ハプティックモジュール、光出力部の１つ以上を含んでもよい。ディスプレイ部１５１は、タッチセンサとレイヤ構造をなすか又は一体型に形成されることにより、タッチスクリーンを実現することができる。このようなタッチスクリーンは、皮膚測定機器１００とユーザ間の入力インタフェースを提供するユーザ入力部として機能すると共に、皮膚測定機器１００とユーザ間の出力インタフェースを提供することができる。
【００６７】
ディスプレイ部１５１は、皮膚測定機器１００において出力可能な様々な画面情報を表示することができる。前記様々な画面情報には、皮膚に関する情報の測定に関する画面情報（例えば、測定開始機能に関連するグラフィックオブジェクト、測定中であることを通知する通知情報、測定中断機能に関連するグラフィックオブジェクト、測定された情報を皮膚施術機器に送信する機能、測定された皮膚に関する情報、身体部位の一部を選択するようにガイドする画像、前記画像においてタッチされた領域をガイドするグラフィックオブジェクトなど）、皮膚測定機器の状態情報（例えば、時間、バッテリ量）などがある。
【００６８】
インタフェース部は、皮膚測定機器１００に接続される各種外部機器との通路の役割を果たす。このようなインタフェース部は、外部充電器ポート（port）、有無線データポート（port）、メモリカード（memory card）ポート、識別モジュールが備えられた装置を接続するポート（port）、オーディオＩ／Ｏ（Input/Output）ポート（port）、ビデオＩ／Ｏ（Input/Output）ポート（port）、イヤホンポート（port）の１つ以上を含んでもよい。皮膚測定機器１００においては、前記インタフェース部への外部機器の接続に対応して、接続された外部機器に関する適切な制御を行うことができる。
【００６９】
また、メモリは、皮膚測定機器１００の様々な機能をサポートするデータを保存する。メモリは、皮膚測定機器１００で起動される複数のアプリケーションプログラム（application program）（又はアプリケーション（application））、皮膚測定機器１００の動作のためのデータ、コマンドを保存することができる。
【００７０】
さらに、メモリは、皮膚に関する情報が検知された後、前記検知された情報を保存（又は一時保存）することができる。さらに、メモリは、皮膚に関する情報毎にレーザの出力情報が連携したテーブルを保存することができる。
【００７１】
一方、アプリケーションプログラムは、メモリに保存され、皮膚測定機器１００にインストールされ、制御部１８０により前記皮膚測定機器の動作（又は機能）のために起動されるようにすることができる。
【００７２】
制御部１８０は、前記アプリケーションプログラムに関する動作に加え、通常の皮膚測定機器１００の全般的な動作を制御する。制御部１８０は、前述した構成要素により入力又は出力される信号、データ、情報などを処理又はメモリに保存したり、メモリに保存されたアプリケーションプログラムを起動することにより、ユーザに適切な情報又は機能を提供又は処理することができる。
【００７３】
また、制御部１８０は、前記アプリケーションプログラムの起動のために、皮膚測定機器１００に含まれる構成要素の少なくとも２つを組み合わせて動作させることができる。
【００７４】
電源供給部は、制御部１８０の制御下で、供給された外部の電源、内部の電源を皮膚測定機器１００に含まれる各構成要素に供給する。このような電源供給部は、バッテリを含み、前記バッテリは、内蔵バッテリ又は交換可能なバッテリであってもよい。
【００７５】
前記構成要素の少なくとも一部は、後述する様々な実施形態による皮膚測定機器の動作、制御又は制御方法を実現するために互いに連携して動作することもある。また、前記皮膚測定機器の動作、制御又は制御方法は、前記メモリに保存された少なくとも１つのアプリケーションプログラムの起動により前記皮膚測定機器上で実現されることもある。
【００７６】
以下、図２ｂを参照して、皮膚測定機器１００の検知部１４０についてより具体的に説明する。
【００７７】
本発明の一実施形態による皮膚測定機器１００は、皮膚に関する情報を抽出するためにＯＣＴ技術を用いることができる。ＯＣＴ（Ｏｐｔｉｃａｌ Ｃｏｈｅｒｅｎｃｅ Ｔｏｍｏｇｒａｐｈｙ：光干渉断層撮影）技術は、ＯＣＴシステムが広帯域光源と低コヒーレンス干渉計（例えば、マイケルソン干渉計（Michelson type）又はマッハ・ツェンダー干渉計（Mach Zehnder type））をベースとして構成され、皮膚組織（例えば、表皮、真皮など）での散乱により生じる逆散乱光の変化を深さ毎に取得する技術である。
【００７８】
検知部１４０は、皮膚測定機器１００に接触した皮膚に光を放出し、前記接触した皮膚で反射する光に基づいて前記接触した皮膚に関する情報を検知することができる。具体的には、検知部１４０は、検知部に含まれる光源１４２から放出された光の少なくとも一部の光を前記接触した皮膚に放出し、前記少なくとも一部の光以外の光を検知部１４０に備えられたミラー１４６に放出し、前記接触した皮膚で反射した光とミラー１４６で反射した光の干渉を利用して前記接触した皮膚に関する情報を検知することができる。
【００７９】
このために、皮膚測定機器１００の検知部１４０は、図２ｂに示すように、光源１４２、ビームスプリッタ（Beam splitter）１４４、ミラー１４６、任意の皮膚に接触する接触部（又はプローブ（probe））１４８、検出部１５０、信号処理器１５２などを含んでもよい。
【００８０】
光源１４２は、いずれかの光を発生する。ここで、光源１４２は、低コヒーレンス光（low coherence light）を発生する低コヒーレンス光源であってもよい。光源１４２から発生した光は、ビームスプリッタ１４４に入射するようにしてもよい。
【００８１】
ビームスプリッタ１４４は、入射した光を少なくとも２つに分割する役割を果たす。具体的には、ビームスプリッタ１４４は、光源１４２から入射した低コヒーレンス光を２つに分割し、前記分割された光のうちいずれか一方をミラー１４６に入射させ、前記分割された光のうち前記いずれか一方とは異なる他方を接触部１４８に入射させるように形成されてもよい。
【００８２】
ミラー１４６は、ビームスプリッタ１４４から入射した光を反射して再びビームスプリッタ１４４に入射させるように形成されてもよい。ここで、ミラー１４６は、基準系又はレファレンスミラーともいい、経路差を生じさせるために少なくとも一方向に移動（シフト又はアキシャルスキャン）させることができる。ミラー１４６を移動させることにより、ミラー１４６で反射してビームスプリッタ１４４に戻る光の位相を変更することができる。こうすることにより、ミラーで反射した光と皮膚で反射して戻ってきた光との干渉現象（例えば、補強干渉又は相殺干渉）に影響を与えることができる。
【００８３】
接触部１４８とは、検知部１４０において皮膚に接触する部分を意味し、プローブともいう。接触部１４８は、ビームスプリッタ１４４から入射した光を接触した皮膚に透過させ、前記皮膚で反射した光をビームスプリッタ１４４に再び入射させるように形成されてもよい。
【００８４】
皮膚は一般的に表皮、真皮及び皮下脂肪層から構成される。ここで、ビームスプリッタ１４４から皮膚に入射した光は、皮膚の深さによって異なる経路差、光の強度を有するように反射する。前記光が異なる強度で反射するのは入射した光の少なくとも一部が皮膚に吸収されるからである。
【００８５】
ビームスプリッタ１４４は、ミラー１４６で反射した光と前記皮膚で反射した光をそれぞれ分割することができる。具体的には、ビームスプリッタ１４４は、前記ミラーで反射した光の少なくとも一部と前記皮膚で反射した光の少なくとも一部を検出部１５０に入射させるように形成されてもよい。
【００８６】
前記ミラーで反射した光の少なくとも一部と前記皮膚で反射した光の少なくとも一部は干渉現象を起こす。すなわち、前記２つの光の経路が一致すると補強干渉が起こり、前記２つの光の経路が一致しないと相殺干渉が起こる。前記皮膚で反射した光の少なくとも一部においては皮膚の深さによって経路差が生じるので、検知部１４０（又は制御部１８０）は、ミラーを移動させることにより、各深さで反射する光とミラーで反射する光の経路が一致する地点（補強干渉が起こる地点）を検出するように、前記ミラーを制御することができる。前記光の経路が一致する地点で補強干渉した信号の強度をピーク値（peak value）ともいう。
【００８７】
検出部１５０は、ビームスプリッタ１４４から入射した、前記ミラーから入射した光の少なくとも一部と前記皮膚で反射した光の少なくとも一部を検出し、前記検出された光に対応する信号を信号処理器１５２に送ることができる。具体的には、検出部１５０は、前記ミラーで反射した光の少なくとも一部と前記皮膚で反射した光の少なくとも一部の干渉信号（例えば、皮膚の各深さでのピーク値）を電気的信号として取得（電気的信号に変換）することができる。
【００８８】
信号処理器１５２は、検出部１５０から送られた信号に基づいて、前記皮膚に関する情報、具体的には皮膚の深さ毎の情報（例えば、皮膚の各深さで反射する光の強度（ピーク値））を取得することができる。このような信号処理器１５２は、検知部１４０に含まれるようにしてもよく、外部に備えられるようにしてもよい。また、信号処理器１５２は、制御部１８０とは別の構成であってもよく、制御部１８０自体であってもよい（以下、説明の便宜上、信号処理器１５２が制御部１８０であるとして説明する）。
【００８９】
本発明の皮膚測定機器１００は、検知部１４０により、前記皮膚の各深さで反射する光の強度に基づいて前記皮膚に関する情報を抽出することができる。
【００９０】
以下、添付図面を参照して、前述したような構成要素の少なくとも１つを含む本発明の一実施形態による皮膚測定機器の制御方法及び前記皮膚の各深さで反射する光の強度に基づいて前記皮膚に関する情報を抽出する方法についてより具体的に説明する。
【００９１】
図３は本発明の皮膚測定機器の制御方法を代表的に示すフローチャートであり、図４は図３に示す皮膚に関する情報を検知する方法を具体的に説明するためのフローチャートである。
【００９２】
図５ａ及び図５ｂは図４に示す制御方法を説明するための概念図であり、図６は図４に示す複数の検知の結果を用いて皮膚に関する情報を抽出する方法を説明するためのフローチャートである。
【００９３】
図３を参照すると、本発明においては、皮膚測定機器１００が任意の皮膚に接触することに基づいて前記任意の皮膚に関する情報を検知する段階が行われる（Ｓ３００）。具体的には、制御部１８０は、皮膚測定機器１００が任意の皮膚に接触することを検知することができる。前記検知は、検知部１４０により行うことができる。制御部１８０は、皮膚測定機器１００が任意の皮膚に接触すると、前記接触した任意の皮膚に関する情報を検知するように検知部１４０を制御することができる。
【００９４】
検知部１４０は、図２ｂにおいて説明したように、光源を含み、前記光源から放出された光の少なくとも一部の光を前記任意の皮膚に放出し、前記少なくとも一部の光以外の光を前記検知部に備えられたミラーに放出することができる。その後、検知部１４０は、前記任意の皮膚で反射した光と前記ミラーで反射した光の干渉を利用して前記任意の皮膚に関する情報を検知することができる。
【００９５】
前記任意の皮膚に関する情報を検知する方法は、図２ｂにおいて説明した方法であってもよい。前記任意の皮膚に関する情報には、前記任意の皮膚の表面反射率、前記任意の皮膚の表皮の厚さ、前記任意の皮膚の表皮での光減衰率、前記任意の皮膚の真皮での光減衰率、前記任意の皮膚の表皮と真皮での平均光減衰率などが含まれるようにしてもよい。
【００９６】
一方、制御部１８０は、予め設定された方式で任意の皮膚に関する情報を検知することができる。例えば、制御部１８０は、皮膚測定機器１００が任意の皮膚に接触した状態が維持される間、連続的に又は所定時間が経過する毎に前記任意の皮膚に関する情報を検知することができる。
【００９７】
他の例として、制御部１８０は、皮膚測定機器１００が任意の皮膚に接触した状態で外力により移動することに基づいて複数の検知を行うことができる。例えば、制御部１８０は、皮膚測定機器１００が任意の皮膚に接触した状態で所定距離を移動する毎に検知を行うか、皮膚測定機器１００の移動が予め設定されたパターンに該当する場合に検知を行うように、検知部１４０を制御することができる。
【００９８】
さらに他の例として、制御部１８０は、皮膚測定機器１００に対するユーザの要求があった場合、前記要求に応じて検知を行うこともできる。ユーザの要求に基づいて検知を行う場合、制御部１８０は、皮膚測定機器１００が任意の皮膚に接触している状態であるか、接触していない状態であるかに関係なく検知を行うことができる。  
【００９９】
その後、本発明においては、皮膚測定機器１００が予め設定された条件に該当することに基づいて前記検知された任意の皮膚に関する情報を皮膚施術機器に送信する段階が行われる（Ｓ４００）。
【０１００】
例えば、制御部１８０は、任意の皮膚に関する情報が検知されると、皮膚測定機器１００が任意の皮膚に接触してから（又は検知を開始してから）経過した時間が予め設定された時間に達した場合、皮膚測定機器１００が任意の皮膚に接触した状態で予め設定された移動距離だけ移動した場合、皮膚測定機器１００が任意の皮膚に接触した状態から分離した場合、皮膚測定機器１００の動きが予め設定された動きに該当する場合、及びユーザの要求があった場合の少なくとも１つ又はそれらの組み合わせに基づいて、前記検知された任意の皮膚に関する情報を皮膚施術機器２００に送信することができる。
【０１０１】
ここで、前記予め設定された動きは、例えば、皮膚に接触していた検知部１４０が皮膚施術機器２００を向くように皮膚測定機器が動く動き、又は予め設定されたパターンに該当する動きなどを含む。
【０１０２】
一方、皮膚測定機器１００は、任意の皮膚の測定（検知）が完了した後に前記任意の皮膚に関する情報を皮膚施術機器２００に送信することもでき、前記任意の皮膚の測定を行うと同時にリアルタイムで前記任意の皮膚に関する情報を皮膚施術機器２００に送信することもできる。
【０１０３】
皮膚施術機器２００は、皮膚測定機器１００から送信された前記任意の皮膚に関する情報に基づいて、前記任意の皮膚の皮膚施術に用いられるレーザの出力情報を決定することができる（レーザの出力情報を決定する方法としては、図１において説明した内容を適用することができる）。
【０１０４】
以下、皮膚測定機器１００を用いて複数の検知を行う方法及び複数の検知により生成された複数の検知結果を用いて皮膚に関する情報を抽出する方法についてより具体的に説明する。
【０１０５】
図４、図５ａ及び図５ｂを参照すると、本発明の皮膚測定機器１００は、任意の皮膚に接触した状態で、外力により移動することに基づいて、前記任意の皮膚上の複数の地点で検知を行うことができる（Ｓ３１０）。これにより、制御部１８０は、前記任意の皮膚の複数の地点毎に複数の前記任意の皮膚に関する情報を検知（取得）することができる。ここで、複数の前記任意の皮膚に関する情報は、複数の前記任意の皮膚の検知結果であってもよい。また、前記検知結果（前記任意の皮膚に関する情報）は、前記任意の皮膚の各地点における各深さで反射した光の強度であってもよい。
【０１０６】
例えば、図５ａに示すように、制御部１８０は、任意の皮膚の３つの地点で検知が行われた場合、Ｐ１が含まれる検知結果、Ｐ２が含まれる検知結果、及びＰ３が含まれる検知結果を取得することができる。
【０１０７】
ここで、Ｐ１、Ｐ２、Ｐ３が含まれる検知結果は、それぞれ前記任意の皮膚の異なる地点で測定された検知結果であってもよい。例えば、Ｐ１が含まれる検知結果は、前記任意の皮膚の第１地点における各深さで反射した光の強度であり、Ｐ２が含まれる検知結果は、前記任意の皮膚の第２地点における各深さで反射した光の強度であり、Ｐ３が含まれる検知結果は、前記任意の皮膚の第３地点における各深さで反射した光の強度であってもよい。
【０１０８】
また、Ｐ１、Ｐ２及びＰ３は、それぞれ前記任意の皮膚の第１、第２及び第３地点の表面での光反射強度を意味する。ここで、Ｐ１、Ｐ２及びＰ３が含まれる検知結果を説明の便宜上深さ軸に分解して示したが、Ｐ１、Ｐ２及びＰ３が含まれる検知結果は、深さ軸とＯＣＴ強度軸にそれぞれ垂直な表面軸（図示せず）にあるものと解される（３次元）。
【０１０９】
制御部１８０は、前記任意の皮膚の複数の地点毎に取得された前記任意の皮膚に関する情報（各深さで反射した光の強度）別に、最大の光の強度を有する地点をそれぞれ各地点の表面での光反射強度（Ｐ１、Ｐ２、Ｐ３）として決定することができる。
【０１１０】
ここで、Ｐ１、Ｐ２及びＰ３のＯＣＴ強度（光反射強度）に差がある理由は、前記任意の皮膚に汗腺、皮脂、屈曲などが存在するからである。すなわち、Ｐ１、Ｐ２、Ｐ３の強度は、前記任意の皮膚の第１、第２及び第３地点での皮膚の表面の状態によって異なる。
【０１１１】
その後、制御部１８０は、前記移動により前記任意の皮膚上の複数の地点でそれぞれ検知された前記複数の検知結果を予め設定された方式で組み合わせることができる。
【０１１２】
具体的には、制御部１８０は、前記複数の地点で検知された複数の検知結果を、前記複数の検知結果に含まれる光反射強度情報のうち皮膚の表面での光反射強度情報が一致するように組み合わせることができる（Ｓ３２０）。
【０１１３】
図５ａ及び図５ｂを参照すると、制御部１８０は、前記移動により前記任意の皮膚上の複数の地点でそれぞれ検知された前記複数の検知結果において、前記複数の検知結果にそれぞれ含まれる皮膚の表面で反射した光の強度（表面での光反射強度情報）（Ｐ１、Ｐ２、Ｐ３）が組み合わせられるように、前記複数の検知結果を組み合わせることができる。ここで、組み合わせの基準は、表面で反射した光の強度が最も大きい地点（例えば、Ｐ１）であってもよい。
【０１１４】
例えば、図５ａに示すように、制御部１８０は、前記移動により複数の地点で検知を行うことに基づいて複数の検知結果が取得されると、図５ｂに示すように、前記複数の検知結果に含まれる皮膚の表面での光反射強度（Ｐ１、Ｐ２、Ｐ３）が一致するように、前記複数の検知結果を組み合わせる（又は整列する）ことができる。  
【０１１５】
その後、制御部１８０は、前記組み合わせた複数の検知結果を用いて前記任意の皮膚に関する情報を抽出することができる（Ｓ３３０）。
【０１１６】
以下、添付図面を参照して、組み合わせた複数の検知結果（フィッティング曲線（fitting curve））を用いて前記任意の皮膚に関する情報を抽出する方法についてより具体的に説明する。
【０１１７】
図５ｂは複数の検知結果が組み合わせられたグラフを示す。一方、図５ｂに示すＲを含むグラフは、皮膚の皮下脂肪層と真皮の境界面を決定するための因子（factor）であり得る。
【０１１８】
前記Ｒを含むグラフの値は、深さ毎にそれぞれ抽出されるようにしてもよい。具体的には、Ｒ値は、｛１−（複数の検知結果とフィッティング曲線（組み合わせた複数の検知結果）間の分散／複数の検知結果の分散）｝により抽出されるようにしてもよい。
【０１１９】
皮膚の皮下脂肪層においては、皮下脂肪層が様々な要素及び構造を有するので、皮膚の各地点における深さに応じた光反射強度の差が皮膚の真皮におけるものより大きい。これにより、複数の検知結果と組み合わせた複数の検知結果（フィッティング曲線）間の分散が大きくなるので、Ｒ値は小さくなる。
【０１２０】
制御部１８０は、Ｒ値のうち最大の値をＤＥ２、すなわち真皮と皮下脂肪層の境界に相当する深さと指定することができる。
【０１２１】
以下、図６を参照して、皮膚に関する情報（皮膚の表面反射率、皮膚の表皮の厚さ、皮膚の表皮での光減衰率、皮膚の真皮での光減衰率、皮膚の表皮と真皮での平均光減衰率など）を抽出する方法について具体的に説明する。
【０１２２】
まず、制御部１８０は、皮膚測定機器１００に接触した任意の皮膚の表面での光反射率を抽出することができる（Ｓ３３２）。具体的には、制御部１８０は、組み合わせた複数の検知結果から、前記任意の皮膚で反射した光の強度が最も大きい地点における光の強度を、前記任意の皮膚の表面での光反射強度として抽出することができる。制御部１８０は、前記任意の皮膚に放出した光の強度及び前記任意の皮膚の表面での光反射強度を用いて、前記表面での光反射率を抽出することができる。
【０１２３】
制御部１８０は、前記任意の皮膚の深さ毎に、Ｒ値と前記組み合わせた複数の検知結果の傾きを計算することができる（Ｓ３３４）。ここで、制御部１８０は、前記組み合わせた複数の検知結果の線形回帰関数を計算し、前記線形回帰関数を用いて前記傾きを計算することができる。
【０１２４】
制御部１８０は、深さが深いところからＲ値がＭａｘである点を検索してＤＥ２に設定することができる（Ｓ３３６）。ここで、ＤＥ２は、真皮と皮下脂肪層の境界面（又は境界面の深さ）であり得る。
【０１２５】
制御部１８０は、ＤＥ２から傾きが変化する地点を抽出し、前記抽出された地点をＤＥ１に設定することができる（Ｓ３３８）。ここで、ＤＥ２から傾きが変化する地点を抽出するとは、ＤＥ２に相当する深さから表面側へ向かって傾きが変化する地点を検索することを意味する（以下、類似の表現に対しても同様に類推適用できる）。前記傾きが変化するとは、図５ｂを参照すると、傾きが基準の大きさ以上に変化すること（例えば、正から負に変化すること）を意味する。ここで、ＤＥ１は、真皮の境界面のうち、表皮に隣接する境界面（又は境界面の深さ）を意味する。  
【０１２６】
具体的には、真皮と表皮間には任意の層が存在することがある。よって、傾きは負から正に変化する部分が存在することがある。真皮と表皮間に存在する任意の層が基準の厚さより薄いか又は真皮と表皮間に任意の層が存在しない場合、ＤＥ１は、真皮と表皮の境界面（又は境界面の深さ）を意味する。
【０１２７】
その後、制御部１８０は、ＤＥ１とＤＥ２間の傾きを抽出することができる（Ｓ３４０）。ＤＥ１とＤＥ２間の傾きは、前記任意の皮膚の真皮での光減衰率を意味する。
【０１２８】
その後、制御部１８０は、ＤＥ１から傾きが変化する地点をＥＰ２に設定することができる（Ｓ３４２）。ＥＰ２は、表皮の境界面のうち、真皮に隣接する境界面（又は、真皮と表皮間に存在する任意の層と表皮の境界面）を意味する。制御部１８０は、ＤＥ１から傾きが基準の大きさ以上に変化する地点（例えば、正から負に変化する地点）をＥＰ２に決定することができる。同様に、真皮と表皮間に存在する任意の層が基準の厚さより薄いか又は真皮と表皮間に任意の層が存在しない場合、ＥＰ２は、真皮と表皮の境界面（又は境界面の深さ）（又はＤＥ１）を意味する。
【０１２９】
また、制御部１８０は、前記任意の皮膚の表面から傾きが基準の大きさ以上に変化する特徴点（地点）をＥＰ１に設定することができる（Ｓ３４４）。すなわち、制御部１８０は、前記任意の皮膚の表面から深さ方向へ向かって傾きが基準の大きさ以上に変化する特徴点を検索し、前記特徴点をＥＰ１に設定することができる。他の方法として、制御部１８０は、ＥＰ２から表面側へ向かって傾きが基準の大きさ以上に変化する特徴点を検索することもできる。
【０１３０】
制御部１８０は、ＥＰ１とＥＰ２間の傾きを抽出することができる（Ｓ３４６）。ＥＰ１とＥＰ２間の傾きは、前記任意の皮膚の表皮での光減衰率を意味する。
【０１３１】
また、制御部１８０は、ＥＰ１とＤＥ２間の傾きを抽出することができる（Ｓ３４８）。ＥＰ１とＤＥ２間の傾きは、前記任意の皮膚の表皮と真皮での平均光減衰率を意味する。
【０１３２】
さらに、制御部１８０は、表面からＥＰ２までの距離を抽出することができる（Ｓ３５０）。
【０１３３】
ここで、表皮の厚さを表面からＥＰ２までの距離から抽出するが、前記表皮での光減衰率をＥＰ１とＥＰ２間の傾きから抽出する理由は、表皮に存在する汗腺、角質、毛穴などのノイズを最小限に抑えるためである。
【０１３４】
このような構成により、制御部１８０は、皮膚測定機器１００に接触した任意の皮膚に関する情報（表面での光反射率、真皮での光減衰率、表皮での光減衰率、表皮と真皮での平均光減衰率、表皮の厚さなど）を抽出（検知）することができる。
【０１３５】
一方、制御部１８０は、前記任意の皮膚に関する情報を用いて前記任意の皮膚のメラニン量を測定することができる。前記任意の皮膚のメラニン量は、前記任意の皮膚に関する情報に含まれるようにしてもよい。前記任意の皮膚のメラニン量は、前記任意の皮膚に放出された光の強度と前記任意の皮膚で反射した光の強度に基づいて抽出された光の吸収率に基づいて検知するようにしてもよい。
【０１３６】
図６において説明した方法は、時系列的に限定されるものではなく、任意の順序で行うことができる。例えば、深さが深いところからＤＥ２、ＤＥ１を検索し、その後真皮での光減衰率を求め、ＥＰ２、ＥＰ１を検索し、その後表皮での光減衰率を求める方法で実現することもでき、ＤＥ２、ＤＥ１、ＥＰ２、ＥＰ１を全て検索し、その後真皮での光減衰率及び表皮での光減衰率を求める方法で実現することもできる。
【０１３７】
このような構成により、本発明においては、ユーザ別、皮膚の一部の部位別に異なる特性を有する皮膚に関する情報を抽出することができる。また、本発明の皮膚測定機器は、前記皮膚に関する情報を皮膚施術機器に送信し、前記皮膚施術機器が前記測定された皮膚に関する情報に最適化されたレーザの出力情報を決定するようにガイドすることができる。
【０１３８】
一方、本発明においては、身体部位のうち皮膚測定機器により測定された任意の皮膚の位置（部位）に対応する情報を、前記検知された任意の皮膚に関する情報と共に皮膚施術機器に送信することができる。
【０１３９】
以下、図７を参照して、皮膚測定機器が検知された任意の皮膚に関する情報及び身体部位のうち前記検知された皮膚の位置に対応する情報を共に送信する方法についてより具体的に説明する。
【０１４０】
図７を参照すると、本発明の皮膚測定機器１００に備えられたディスプレイ部１５１には、身体部位の一部を選択するようにガイドする画像７００を出力することができる。すなわち、制御部１８０は、身体部位の一部を選択できるようにガイドする画像７００がディスプレイ部１５１に表示されるように、ディスプレイ部１５１を制御することができる。
【０１４１】
ディスプレイ部１５１に表示される画像７００は、メモリに予め保存されたものであってもよい。また、画像７００は、身体に関する画像であればいかなる画像でも採用することができる。例えば、画像７００は、図７に示すように、顔の画像にすることもでき、同図には示していないが、腕、胴体、背中、脚などの画像にすることもできる。画像７００は、ユーザの要求に基づいてディスプレイ部１５１に表示されるようにすることもでき、予め設定された条件に該当するとディスプレイ部１５１に表示されるようにすることもできる。前記予め設定された条件は、例えば、皮膚測定機器１００の電源がオフ状態からオン状態に切り替えられること、皮膚測定機器１００の動きが予め設定されたパターンに該当する動きで動くことなどである。
【０１４２】
制御部１８０は、ディスプレイ部１５１に表示された画像７００に加わるタッチを検知することができる。制御部１８０は、前記タッチに基づいて、画像７００の少なくとも一部が選択されたと判断することができる。
【０１４３】
制御部１８０は、画像７００の少なくとも一部７１０が選択された後に前記皮膚測定機器が前記任意の皮膚に接触すると、前記接触した任意の皮膚に関する情報を検知することができる。つまり、画像７００の少なくとも一部７１０の選択は、皮膚測定機器１００が皮膚に接触する前、すなわち検知を行う前に行うことができる。一方、これに限定されるものではなく、画像７００の少なくとも一部７１０の選択は、検知が行われている途中で行われるようにしてもよく、検知が完了した後に行われるようにしてもよく、検知された任意の皮膚に関する情報が皮膚施術機器に送信される前に行われるようにしてもよい。
【０１４４】
その後、制御部１８０は、予め設定された条件に該当することに基づいて前記測定された任意の皮膚に関する情報を皮膚施術機器２００に送信する際に、前記選択された少なくとも一部に対応する情報を共に送信することができる。
【０１４５】
例えば、図７の第１図及び第２図に示すように、ディスプレイ部１５１に表示された画像７００の少なくとも一部７１０（例えば、右の頬部）が選択された後、任意の皮膚（例えば、右の頬部の皮膚）に皮膚測定機器１００が接触すると、制御部１８０は、前記任意の皮膚に関する情報を検知することができる。その後、制御部１８０は、図７の第３図に示すように、予め設定された条件に該当することに基づいて、前記検知された任意の皮膚に関する情報を画像７００の少なくとも一部７１０（例えば、右の頬部）に対応する情報と共に皮膚施術機器２００に送信することができる。
【０１４６】
皮膚施術機器２００は、皮膚測定機器１００から送信された、検知された任意の皮膚に関する情報及び画像７００の少なくとも一部７１０に対応する情報を受信すると、図７の第４図に示すように、前記皮膚に関する情報と前記メモリに保存されたテーブルに基づいてレーザの出力情報を決定することができる。
【０１４７】
また、制御部１８０は、画像７００の少なくとも一部７１０に対応する情報に基づいて、前記決定されたレーザの出力情報として前記レーザを施術する部位に関する情報を前記皮膚施術機器のディスプレイ部に出力することができる。
【０１４８】
なお、前記皮膚施術機器のディスプレイ部１５１には、前記決定されたレーザの出力情報及び前記レーザを施術する部位に関する情報が共に表示されるようにすることができる。
【０１４９】
また、皮膚施術機器２００は、前記レーザを施術する部位に関する情報、画像７００の少なくとも一部７１０に対応する情報、前記検知された任意の皮膚に関する情報、皮膚施術を受けるユーザに関する情報及び皮膚施術を受ける時間（日付）の少なくとも１つ又はそれらの組み合わせを皮膚施術機器２００のメモリに保存することができる。
【０１５０】
以上説明したように、本発明によれば、本発明の皮膚測定機器は、皮膚施術機器で最適化された皮膚施術を行えるように、皮膚施術を行う皮膚に関する情報、すなわち表面での光反射率、前記任意の皮膚の表皮での光減衰率、前記任意の皮膚の真皮での光減衰率、表皮の厚さなどを測定して皮膚施術機器に送信することができる。よって、本発明は、ユーザ毎に皮膚特性を把握して最適化された皮膚施術を行うことができるという効果がある。
【０１５１】
また、本発明の皮膚測定機器は、皮膚の複数の地点で検知された検知結果に基づいて前記皮膚に関する情報を抽出するので、より正確な皮膚状態、すなわち皮膚に関する情報を抽出することができる。
【０１５２】
さらに、本発明の皮膚測定機器は、予め設定された条件に該当することに基づいて皮膚に関する情報を皮膚施術機器に送信することができる。よって、本発明によれば、皮膚施術を行うユーザの利便性が向上するという効果がある。
【０１５３】
さらに、本発明の皮膚測定機器は、身体部位の一部を選択するようにガイドする画像を出力することができ、前記画像の少なくとも一部が選択された後に前記皮膚測定機器が前記任意の皮膚に接触すると、前記選択された少なくとも一部に対応する情報と前記検知された任意の皮膚に関する情報を連携して前記皮膚施術機器に送信することができる。よって、本発明は、皮膚測定機器を用いて皮膚に関する情報が測定された身体部位を皮膚施術機器に出力したり保存することのできる新しいユーザインタフェースを提供することができる。
【図１】
0006502520.tif 000002
【図２ａ】
0006502520.tif 000003
【図２ｂ】
0006502520.tif 000004
【図３】
0006502520.tif 000005
【図４】
0006502520.tif 000006
【図５ａ】
0006502520.tif 000007
【図５ｂ】
0006502520.tif 000008
【図６】
0006502520.tif 000009
【図７】
0006502520.tif 000010